(57)【要約】【課題】糸の切断などの煩雑な作業を要することなく、直結仕掛けとブランコ仕掛けとの間で容易に組み替えることができるイカツノ仕掛け及びイカ釣り用仕掛けの提供を目的としている。【解決手段】本発明の一実施形態に係るイカツノ仕掛けは、イカツノ１２と、イカツノ１２から延びる釣糸２０の末端に設けられる拡縮自在な輪２ａを形成する止着部２と、釣糸２０の途中に設けられ且つ釣糸２０の径よりも大きく膨出する抜け止め部１０とを有する。【選択図】図１
2010035432.tif 000002
【特許請求の範囲】
【請求項１】
イカツノと、当該イカツノから延びる釣糸の末端に設けられる拡縮自在な輪を形成する止着部と、前記釣糸の途中に設けられ且つ当該釣糸の径よりも大きく膨出する抜け止め部とを有することを特徴とするイカツノ仕掛け。
【請求項２】
前記抜け止め部を複数有することを特徴とする請求項１に記載のイカツノ仕掛け。
【請求項３】
請求項１または請求項２に記載のイカツノ仕掛けを前記止着部を介して着脱自在に複数連結して成るイカ釣り用仕掛け。
【請求項４】
複数のイカツノを幹糸に沿って垂直に直列に連結して成る直結仕掛けと、幹糸から枝分かれする複数の枝素のそれぞれにイカツノが取り付けられて成るブランコ仕掛けとの組み替えに使用されるイカツノ仕掛けであって、
イカツノと、
前記イカツノから延び、枝素および幹糸を兼ねるラインと、
前記ラインの末端に設けられ、拡縮自在な輪を形成するとともに、仕掛け組み替え時に直結仕掛けまたはブランコ仕掛けを構成する他のイカツノ仕掛けのラインに通されて止着される止着部と、
前記ラインの途中に設けられ、直結仕掛けまたはブランコ仕掛けを構成する他のイカツノ仕掛けの止着部を抜け止めするための抜け止め部と、
を有することを特徴とするイカツノ仕掛け。
【請求項５】
前記抜け止め部を複数有することを特徴とする請求項４に記載のイカツノ仕掛け。
【請求項６】
請求項４または請求項５に記載のイカツノ仕掛けを前記止着部を介して着脱自在に複数連結して成り、直結仕掛けとブランコ仕掛けとの間で組み替え可能なイカ釣り用仕掛け。
【発明の詳細な説明】
【技術分野】
【０００１】
本発明は、イカを釣るために使用されるイカツノ仕掛け及びそのようなイカツノ仕掛けを組み合わせて成るイカ釣り用仕掛けに関する。
【背景技術】
【０００２】
イカ釣りでは、イカツノと呼ばれる特殊な針が用いられる（例えば、特許文献１参照）。このようなイカツノを用いた仕掛けとしては、従来から、一般に、図５の（ａ）に示される直結仕掛け１００と、図５の（ｂ）に示されるブランコ仕掛け１０２とが存在する。直結仕掛け１００は、複数のイカツノ５０を幹糸５２に沿って垂直に直列に連結して最下端にオモリ５４を結合して成るものであり（図５の（ａ）参照）、一方、ブランコ仕掛け１０２は、幹糸５２から枝分かれする複数の枝素（枝ハリス）５６のそれぞれにイカツノ５０が取り付けられ、幹糸５２の最下端にオモリ５４が結合されて成るものであり（図５の（ｂ）参照）、イカの乗り具合や海況などによってこれらが使い分けられる。
【特許文献１】特開昭６１−４０７２７号
【発明の開示】
【発明が解決しようとする課題】
【０００３】
ところで、従来、実釣中に仕掛けを直結仕掛け１００からブランコ仕掛け１０２へと或いはその逆へと変更したい場合には、一般に仕掛け全体を取り替えている。これは、仕掛けの形態が全く異なっており、仕掛けを形成する糸同士が結節部で完全に結び付けられているからである。無論、糸を切るなどして仕掛けを一旦バラバラにしてイカツノの配置形態を変えることにより直結式をブランコ式に組み替えること或いはその逆を行なうことも不可能ではないが、そのような作業は極めて細かい煩雑なものであり、これを特に沖合いの船上で行なうことは極めて難しい。そのため、釣人は、仕掛けの交換に備えて、一般に直結仕掛けとブランコ仕掛けの両方を持ち合わせている必要があり、費用的にも負担となる。
【０００４】
本発明は、前記事情に着目してなされたものであり、その目的とするところは、糸の切断などの煩雑な作業を要することなく、直結仕掛けとブランコ仕掛けとの間で容易に組み替えることができるイカツノ仕掛け及びイカ釣り用仕掛けを提供することにある。
【課題を解決するための手段】
【０００５】
前記課題を解決するために、本発明のイカツノ仕掛けは、イカツノと、当該イカツノから延びる釣糸の末端に設けられる拡縮自在な輪を形成する止着部と、前記釣糸の途中に設けられ且つ当該釣糸の径よりも大きく膨出する抜け止め部とを有することを特徴とする。
【０００６】
また、本発明は、複数のイカツノを幹糸に沿って垂直に直列に連結して成る直結仕掛けと、幹糸から枝分かれする複数の枝素のそれぞれにイカツノが取り付けられて成るブランコ仕掛けとの組み替えに使用されるイカツノ仕掛けであって、イカツノと、前記イカツノから延び、枝素および幹糸を兼ねるラインと、前記ラインの末端に設けられ、拡縮自在な輪を形成するとともに、仕掛け組み替え時に直結仕掛けまたはブランコ仕掛けを構成する他のイカツノ仕掛けのラインに通されて止着される止着部と、前記ラインの途中に設けられ、直結仕掛けまたはブランコ仕掛けを構成する他のイカツノ仕掛けの止着部を抜け止めするための抜け止め部とを有することを特徴とする。
【０００７】
更に、本発明は、前記構成のイカツノ仕掛けを止着部を介して着脱自在に複数連結して成り、直結仕掛けとブランコ仕掛けとの間で組み替え可能なイカ釣り用仕掛けに関する。
【発明の効果】
【０００８】
本発明によれば、糸の切断などの煩雑な作業を要することなく、直結仕掛けとブランコ仕掛けとの間で容易に組み替えることができるイカツノ仕掛け及びイカ釣り用仕掛けを提供できる。
【発明を実施するための最良の形態】
【０００９】
以下、図面を参照しながら本発明に係るイカツノ仕掛け及びイカ釣り用仕掛けの一実施形態について説明する。
【００１０】
図１は一実施形態に係るイカツノ仕掛け１を示している。図示のように、イカツノ仕掛け１は、針８を有するイカツノ１２と、イカツノ１２から所定の長さで延びる釣糸２０の末端に設けられる拡縮自在な輪２ａを形成する止着部２と、釣糸２０の途中に設けられ且つ当該釣糸２０の径よりも大きく膨出する抜け止め部１０とを有している。なお、イカツノ仕掛け１は、イカ釣り用仕掛けを構成する一部分であり、イカツノ１２を中心にした仕掛けである。
【００１１】
なお、図では、イカツノ１２が直結部９で釣糸２０に直接に結び付けられているが、イカツノ１２と釣糸２０とがスナップを介して着脱自在に結合されていても構わない。また、釣糸２０は、後述する直結仕掛けおよびブランコ仕掛けにおいて幹糸および枝素を兼ねるラインである。すなわち、後述するように、直結仕掛けにおいては、釣糸２０が幹糸となり、ブランコ仕掛けでは、抜け止め部１０に対して止着部２側の釣糸２０の部分２０ａが幹糸となり、抜け止め部１０に対してイカツノ１２側の釣糸２０の部分２０ｂが枝素となる。
【００１２】
止着部２は、ビーズ５の内孔５ａに通した釣糸２０をビーズ５の一方側でループ状に形成した後、その釣糸２０の末端をビーズ５の内孔５ａに再び通してビーズ５の反対側で抜け止め用の結びコブ７を設けることにより形成される。このような構成の止着部２は、ビーズ５を矢印に示されるように釣糸２０に沿って図中上側へスライドさせると、二点鎖線で示されるように輪２ａが縮小して後述するように他のラインに対して止着することができる。一方、ビーズ５を矢印と反対方向で釣糸２０に沿って図中下側へスライドさせると、輪２ａが拡大し、後述するように他のラインに対する止着を解除することができ、当該他のラインに沿って移動することが可能になる。なお、ビーズ５を用いることなく投げ縄結びで拡縮自在に輪２ａを作ることにより止着部２を構成しても良い。
【００１３】
抜け止め部１０は、釣糸２０を何回かに結んで形成された結びコブであっても良いが、本実施形態では釣糸２０に通されたビーズから成っており、ビーズの抜け止めとして釣糸２０による結びコブ１１が設けられている。なお、ビーズ（抜け止め部１０）の位置は任意であり、後述するブランコ仕掛けの必要とされる枝素の長さに対応して決定される。
【００１４】
このような構成のイカツノ仕掛け１は、止着部２を介して着脱自在に複数連結することにより、直結仕掛けとブランコ仕掛けとの間で組み替え可能なイカ釣り用仕掛けを構成することができる。なお、前述したように、直結仕掛け（イカ釣り用仕掛け）１００は、図２に示されるように、複数のイカツノ１２を幹糸２０に沿って垂直に直列に連結して成るものであり、また、ブランコ仕掛け（イカ釣り用仕掛け）１０２は、図３に示されるように、幹糸２０ａから枝分かれする複数の枝素２０ｂのそれぞれにイカツノ１２が取り付けられて成るものである。
【００１５】
図２に示される直結仕掛け１００では、図１に示されるイカツノ仕掛け１を３つ使用している。すなわち、この直結仕掛け１００は、最も下側のイカツノ仕掛け１Ａのイカツノ１２の針８に対して拡縮可能な止着部１５を有する糸２９によりオモリ１３が接続され、最も下側のイカツノ仕掛け１Ａの止着部２が真ん中のイカツノ仕掛け１Ｂのイカツノ１２の針８に対して止着されるとともに、真ん中のイカツノ仕掛け１Ｂの止着部２が最も上側のイカツノ仕掛け１Ｃのイカツノ１２の針８に対して止着され、更に、最も上側のイカツノ仕掛け１Ｃの止着部２が道糸３０のヨリモドシ（スナップ）３２に接続されることにより構成されている。この場合、各イカツノ仕掛け１Ａ，１Ｂ，１Ｃの釣糸２０（２０ａ，２０ｂ）が直結仕掛け１００の幹糸を形成する。なお、針８に対する止着部２の止着は、図２の（ｂ）に示されるように、複数ある錨型の針８のうちの１本に引っ掛けることにより成されても良いが、針８に対して負荷が均等にかかるように針８の中央に対称的に引っ掛けることが好ましい。
【００１６】
このような状態の直結仕掛け１００をブランコ仕掛け１０２（図３参照）に組み替える場合には、まず、オモリ１３から延びる糸２９の止着部１５を拡開させて最も下側のイカツノ仕掛け１Ａの針８から外した後、その拡開された止着部１５を、最も下側のイカツノ仕掛け１Ａのイカツノ１２側からその釣糸２０に通して（最も下側のイカツノ仕掛け１Ａのイカツノ１２を拡開された止着部１５の中に通す）最も下側のイカツノ仕掛け１Ａの抜け止め１０を乗り越えさせ、この抜け止め１０の背後（上側）で止着部１５を縮小させて止着する（抜け止めする）。このとき、オモリの糸２９はブランコ仕掛け１０２の幹糸のままとなるが、最も下側のイカツノ仕掛け１Ａの釣糸２０ａの一方側部分２０ｂは枝素となる。その後、最も下側のイカツノ仕掛け１Ａの止着部２を拡開させて真ん中のイカツノ仕掛け１Ｂの針８から外した後、その拡開された止着部２を、真ん中のイカツノ仕掛け１Ｂのイカツノ１２側からその釣糸２０に通して（真ん中のイカツノ仕掛け１Ｂのイカツノ１２を最も下側のイカツノ仕掛け１Ａの拡開された止着部２の中に通す）真ん中のイカツノ仕掛け１Ｂの抜け止め１０を乗り越えさせ、この抜け止め１０の背後（上側）で止着部２を縮小させて止着する（抜け止めする）。このとき、最も下側のイカツノ仕掛け１Ａの釣糸２０の他方側部分２０ａはブランコ仕掛け１０２の幹糸のままとなるが、真ん中のイカツノ仕掛け１Ｂの釣糸２０ａの一方側部分２０ｂは枝素となる。同様に、真ん中のイカツノ仕掛け１Ｂの止着部２を拡開させて最も上側のイカツノ仕掛け１Ｃの針８から外した後、その拡開された止着部２を、最も上側のイカツノ仕掛け１Ｃのイカツノ１２側からその釣糸２０に通して（最も上側のイカツノ仕掛け１Ｃのイカツノ１２を真ん中のイカツノ仕掛け１Ｂの拡開された止着部２の中に通す）最も上側のイカツノ仕掛け１Ｃの抜け止め１０を乗り越えさせ、この抜け止め１０の背後(上側)で止着部２を縮小させて止着する（抜け止めする）。このとき、真ん中のイカツノ仕掛け１Ｂの釣糸２０の他方側部分２０ａはブランコ仕掛け１０２の幹糸のままとなるが、最も上側のイカツノ仕掛け１Ｃの釣糸２０ａの一方側部分２０ｂは枝素となる。
【００１７】
このように、止着部２を着脱して他のラインに通すだけで、直結仕掛け１００をブランコ仕掛けに組み替えることができる。無論、以上の作業と逆の作業を行なうことにより、ブランコ仕掛け１０２を直結仕掛け１００へと組み替えることもできる。
【００１８】
なお、本発明は、前述した実施形態に限定されず、その要旨を逸脱しない範囲で種々変形して実施可能である。例えば、前述した実施形態では、抜け止め部１０が１つであったが、図４に示されるように釣糸２０の途中に所定の間隔をあけて２つの抜け止め部１０を設けることもできる。このようにすると、ブランコ仕掛け１０２の枝素の長さを２段階で調整することができ有益である。また、前述した実施形態では、３つのイカツノ仕掛け１を用いてイカ釣り用仕掛けが構成されているが、直結仕掛け１００およびブランコ仕掛け１０２を構成するイカツリ仕掛け１の数は任意である。また、前述した実施形態では、直結仕掛け１００の全体をブランコ仕掛け１０２に組み替える例を示したが、直結仕掛け１００の一部をブランコ仕掛けにすることも可能である。例えば、仕掛けの全長の半分を直結仕掛けとし、半分をブランコ仕掛けにしても構わない。また、前述した実施形態では、仕掛けの下側から順に組み替えているが、仕掛け全体を一旦バラバラにしてから組み替えるようにしても良い。
【図面の簡単な説明】
【００１９】
【図１】本発明の一実施形態に係るイカツノ仕掛けの正面図である。
【図２】（ａ）は図１のイカツノ仕掛けを連結して成る直結仕掛けの正面図、（ｂ）は（ａ）のＡ部拡大図である。
【図３】（ａ）は図１のイカツノ仕掛けを連結して成るブランコ仕掛けの正面図、（ｂ）は（ａ）のＢ部拡大図である。
【図４】図１のイカツノ仕掛けの変形例の正面図である。
【図５】（ａ）は直結仕掛けの従来例の正面図、（ｂ）はブランコ仕掛けの従来例の正面図である。
【符号の説明】
【００２０】
１  イカツノ仕掛け
２  止着部
２ａ  輪
１０  抜け止め
１２  イカツノ
２０  釣糸（ライン）
１００  直結仕掛け
１０２  ブランコ仕掛け
【図１】
2010035432.tif 000003
【図２】
2010035432.tif 000004
【図３】
2010035432.tif 000005
【図４】
2010035432.tif 000006
【図５】
2010035432.tif 000007